(57)【要約】【課題】ラッチ部を、体積がより小さい駆動部で直接に駆動することができる上、設置場所に取付けることもその場所から取り出して修理することも便利である電気錠の提供を目的とする。【解決手段】一端に開口があり、内部にボビン収納空間と、第１通路とが設けられた錠ケースと、第１通路に連通する中間通路を第２通路として有し、且つ、ボビン収納空間内に設置されたボビンと、ボビンに巻回さしていて通電されると第２通路内に磁場を生ずるコイルと、一部が第２通路内に位置する上、コイルが磁場を生ずると磁場に排斥されて移動する駆動部と、第１通路内において一端で駆動部と連結し、他端で開口の方へ延長し、コイルが通電されると、全体が駆動部により駆動され、アンラッチ位置から他端がラッチ位置まで移動するラッチ部と、錠ケースの内部に設けられているばねと、からなる電気錠。【選択図】図１
0003153242.tif 000002
【実用新案登録請求の範囲】
【請求項１】
その一端に開口があり、内部に、ボビン収納空間と、該ボビン収納空間と前記開口とを連通している第１通路とが設けられている錠ケースと、
中間通路を有する環状となり、且つ、該中間通路が第２通路として前記第１通路と同軸に連通するように、前記ボビン収納空間内に設置されているボビンと、
前記ボビンに巻回していて通電されると前記第２通路内に磁場を生ずることができるコイルと、
永久磁石からなっており、且つ、少なくともその一部が前記第２通路内に位置する上、前記コイルが磁場を生ずると、前記磁場に排斥されて前記開口の方へ移動するように構成されている駆動部と、
縦長状であり、前記第１通路内においてその一端が前記駆動部と連結し、他端が前記開口の方へ延長している上、前記コイルが通電されると、その全体が、前記駆動部の移動により駆動され、前記コイルが通電されていないアンラッチ位置から、前記他端がその延長方向へ更に突出してラッチするラッチ位置まで移動することができるように配置構成されているラッチ部と、
前記錠ケースの内部に設けられてあり、前記ラッチ部が前記アンラッチ位置から前記ラッチ位置に移動させられると、付勢力を生ずることができ、また、前記コイルの磁場が解除されると、前記付勢力によって前記ラッチ部を前記アンラッチ位置に戻すことができるように構成されているばねと、
からなっていることを特徴とする電気錠。
【請求項２】
前記ラッチ部は、更に、非透磁性物質からなった連結部を介して前記駆動部に連結されていることを特徴とする請求項１に記載の電気錠。
【請求項３】
前記ばねは、前記ラッチ部の外周面に張設されていることを特徴とする請求項１又は請求項２に記載の電気錠。
【請求項４】
前記ラッチ部は、前記駆動部に連結されている一端の外周に、第１の環状フランジが設けられており、
前記第１通路の前記開口になっている一端の内周に、第２の環状フランジが前記第１の環状フランジと向かい合うように設けられており、
前記ばねは、前記第１の環状フランジと前記第２の環状フランジとの間に挟まれていることを特徴とする請求項３に記載の電気錠。
【請求項５】
前記ボビンは、円管部と該円管部の両端縁から外へ張出しになっている二つのフランジ部とを備えており、
前記コイルは、前記円管部の外周面に巻回されながら両側から前記二つのフランジ部に止められていることを特徴とする請求項１〜請求項４のいずれか一項に記載の電気錠。
【請求項６】
前記錠ケースの周面には、前記第１通路と連通している第１通気穴と、前記第２通路と連通している第２通気穴とが更に設けられていることを特徴とする請求項１〜請求項５のいずれか一項に記載の電気錠。
【請求項７】
前記錠ケースの前記開口の反対側は、前記第２通気穴が設けられていることを特徴とする請求項６に記載の電気錠。
【請求項８】
前記錠ケースの前記開口の反対側は、カバー付き開口となっており、
前記第２通気穴は、前記カバー付き開口のカバーに開けてあることを特徴とする請求項６に記載の電気錠。
【考案の詳細な説明】
【技術分野】
【０００１】
本考案は、電気的に施錠または解錠することが可能な電気錠に関するものである。
【背景技術】
【０００２】
電気錠は、通常、扉の内部に設置されており、扉の厚みは限りがあるため、扉と扉枠をラッチするラッチ部を、体積の大きい電磁弁で直接に駆動することができないので、扉枠に対して施解錠を行うのは、電磁弁が従動部を介してラッチ部を駆動することが必要である。（特許文献１〜９参照）
【０００３】
特許文献４を主として説明すれば、図４及び図５に示したように、従来の、開口１４１付きの扉１４の内部に設置されている電気錠は、錠ケース１１と、プランジャ１２１付きの電磁弁１２と、プランジャ１２１と連動する従動部１１３と、従動部１１３と連動するラッチ部１１１と、ラッチ部１１１の外周面に張設されているばね１１２と、電磁弁１２と電気的に連接されている印刷配線板１３と、からなっており、電磁弁１２が従動部１１３を介してラッチ部１１１を駆動することで施解錠を行う。
【０００４】
通常、電気錠は、常に施錠状態とし、即ち、ラッチ部１１１が、電磁弁１２のプランジャ１２１が突出して従動部１１３を上に連動させていることにより、ラッチ位置に押し上げられ、扉枠１５の係止孔１５１に挿入されている（図４参照）。この時、ばね１１２は、圧縮されてラッチ部１１１を反対方向へ移動させ得る付勢力を生ずる。
【０００５】
また、電気錠は、公知的な認証方法により生じた解錠信号が、印刷配線板１３経由で、電磁弁１２に届けられると、電磁弁１２のプランジャ１２１の後退と共に、従動部１１３が落ち、それで、扉枠１５の係止孔１５１に挿入されたラッチ部１１１が、従動部１１３に押し上げられていないので、圧縮されたばね１１２の付勢力によって扉１４の開口１４１内のアンラッチ位置（図５参照、電気錠の解錠状態）まで移動する。
【０００６】
しかし、従来の電気錠は、扉１４の開口１４１よりも更に広い内部の設置体積が必要で、その全体の体積が大きいため、その取付けも修理も不便である。それに、連動部１１３を介してラッチ部１１１を駆動する電気錠は、誤作動しやすい上、信号の発生とラッチ部１１１の作動との間で遅延時間がかかるという問題点もある。
【先行技術文献】
【特許文献】
【０００７】
【特許文献１】台湾実用新案公告第３１３１８５号
【特許文献２】台湾実用新案公告第３６６９４７号
【特許文献３】台湾実用新案公告第４０９７５７号
【特許文献４】台湾実用新案公告第５６８１５１号
【特許文献５】台湾実用新案公告第５７５０５４号
【特許文献６】台湾実用新案公告第Ｍ２５２７７４号
【特許文献７】台湾実用新案公告第Ｍ２６１５６６号
【特許文献８】台湾実用新案公告第Ｍ２７４４１６号
【特許文献９】台湾実用新案公告第Ｍ２８０４０４号
【考案の概要】
【考案が解決しようとする課題】
【０００８】
前記問題点を解消するために、本考案は、前記連動部を介して駆動する必要がなく、ラッチ部を、体積がより小さい駆動部で直接に駆動することができる上、設置場所に取付けることにもその場所から取り除いて修理することにも便利な電気錠の提供を目的とする。
【課題を解決するための手段】
【０００９】
前記目的を達成するために、本考案は、その一端に開口があり、内部に、ボビン収納空間と、該ボビン収納空間と前記開口とを連通している第１通路とが設けられている錠ケースと、中間通路を有する環状となり、且つ、該中間通路が第２通路として前記第１通路と同軸に連通するように、前記ボビン収納空間内に設置されているボビンと、前記ボビンに巻回していて通電されると前記第２通路内に磁場を生ずることができるコイルと、永久磁石からなっており、且つ、少なくともその一部が前記第２通路内に位置する上、前記コイルが磁場を生ずると、前記磁場に排斥されて前記開口の方へ移動するように構成されている駆動部と、縦長状であり、前記第１通路内においてその一端が前記駆動部と連結し、他端が前記開口の方へ延長している上、前記コイルが通電されると、その全体が、前記駆動部の移動により駆動され、前記コイルが通電されていないアンラッチ位置から、前記他端がその延長方向へ更に突出してラッチするラッチ位置まで移動することができるように配置構成されているラッチ部と、前記錠ケースの内部に設けられてあり、前記ラッチ部が前記アンラッチ位置から前記ラッチ位置に移動すると、付勢力を生ずることができ、また、前記コイルの磁場が解除されると、前記付勢力によって前記ラッチ部を前記アンラッチ位置に戻すことができるように構成されているばねと、からなっている電気錠を提供する。
【考案の効果】
【００１０】
前記構成による電気錠は、体積の大きな電磁弁の代わりに、体積がより小さいボビンを使用し、前記ボビンに巻回されているコイルから生じた磁場によって、従来のように、従動部を介してラッチ部を駆動する必要がなく、ラッチ部が、駆動部に直接に駆動されたと同時に移動させられて施解錠を行うことができるので、設置場所に取付けることにもその場所から取り除いて修理することにも便利である上、連動部を介してラッチ部を駆動することによる誤作動の問題も起こらず、信号の発生とラッチ部の作動との間の遅延時間を削減することもできる。
【図面の簡単な説明】
【００１１】
【図１】本考案の一実施例である電気錠の解錠状態を説明する断面図である。
【図２】本考案の一実施例である電気錠の施錠状態を説明する断面図である。
【図３】本考案の一実施例である電気錠を扉枠に取り付けることを説明する図面である。
【図４】従来の電気錠の施錠状態を説明する断面図である。
【図５】従来の電気錠の解錠状態を説明する断面図である。
【考案を実施するための形態】
【００１２】
図１に示したように、本考案の電気錠２は、錠ケース３と、ボビン３２と、ボビン３２に巻回されているコイル４と、駆動部５１と、連結部５２と、ラッチ部５３と、ばね５４と、からなっている。
【００１３】
錠ケース３は、その一端３０１には、ラッチ部５３が通過するための開口３１２があり、開口３１２の反対側３０２には、カバー付き開口３１５がある。また、錠ケース３の内部には、ボビン収納空間３４と、該ボビン収納空間３４と開口３１２とを連通している第１通路３１１とが設けられてある。
【００１４】
ボビン３２は、円管部３２２と該円管部３２２の両端縁３２２１から外へ張出しになっている二つのフランジ部３２３とを備えて、中間通路を有する環状となり、且つ、該中間通路が第２通路３２１として第１通路３１１と同軸に連通するように、ボビン収納空間３４内に設置されている。
【００１５】
コイル４は、ボビン３２の円管部３２２の外周面３２２０に巻回されながら両側から二つのフランジ部３２３に止められている。コイル４が通電させられると第２通路３２１内に磁場を生ずることができる。
【００１６】
駆動部５１は、永久磁石からなっており、少なくともその一部が第２通路３２１内に位置し、且つ、コイル４が通電されていない場合、その大部分５１１が第２通路３２１内に位置し、端部分５１２が第１通路３１１内に位置する。コイル４が磁場を生ずると、前記磁場に排斥されて開口３１２の方へ移動する。
【００１７】
連結部５２は、その一端５２１が駆動部５１の端部分５１２を挟み、他端５２２がラッチ部５３に連接されており、且つ、永久磁石からなる駆動部５１からの漏磁を防ぐために、非透磁性物質からなっている。
【００１８】
ラッチ部５３は、縦長状であり、第１通路３１１内においてその一端５３０が連結部５２を介して駆動部５１と連結し、他端５３１が開口３１２の方へ延長している上、コイル４が通電されると、その全体が、駆動部５１の移動により第１通路３１１に沿って駆動され、コイル４が通電されていないアンラッチ位置（図１参照、電気錠２の解錠状態）から、他端５３１がその延長方向へ更に突出してラッチをすることができるラッチ位置（図２参照、電気錠２の施錠状態）まで移動することができるように配置構成されている。
【００１９】
また、ラッチ部５３は、駆動部５１に連結されている一端の外周に、第１の環状フランジ５３２が設けられている。そしてまた、第１通路３１１の開口３１２になっている一端の内周に、第２の環状フランジ３１３が第１の環状フランジ５３２と向かい合うように設けられている。
【００２０】
ばね５４は、錠ケース３の内部に、第１の環状フランジ５３２と第２の環状フランジ３１３との間に挟まれるように、ラッチ部５３の外周面に張設されている。それにより、ラッチ部５３が前記アンラッチ位置から前記ラッチ位置に移動させられると、第１の環状フランジ５３２は、第２の環状フランジ３１３に近づいて、それと第２の環状フランジ３１３との間に挟まれているばね５４を圧縮してそれに付勢力を生じさせことができ、そしてまた、このばね５４に生じる付勢力は、コイル４の磁場が解除される時、ラッチ部５３を前記アンラッチ位置に戻す力となる。
【００２１】
図３に示したように、本実施例において、電気錠２は、固定板８の上面に設置し、且つ、コイル４を駆動して通電させるための駆動回路装置６と電気的に連接されている。また、電気錠２は、上記の構成を持つため、扉枠７の表面に、電気錠２及び駆動回路装置６の取り付け穴７１と、固定板８を扉枠７に固定するための複数のねじ穴７２とを開けるだけで、扉枠７に取り付けることができる。ボビン３２を使用している電気錠２は、その体積が従来より遥かに小さくに製造することが可能であり、電気錠２及び駆動回路装置６は、それらのサイズに対応する２つの取り付け穴７１に取付けるだけで設置できるので、設置場所（例えば、扉枠７）に取付けることにもその場所から取り出して修理することにも便利である。
【００２２】
また、本考案の電気錠２は、常に施錠状態とし、即ち、ラッチ部５３が常にラッチ位置にいる。図に示さない公知の認証装置（例えば、指紋認識装置等）による生じた解錠信号が、駆動回路装置６経由で、コイル４に届かれると、コイル４の磁場が解除されて、施錠状態で圧縮されたばね５４が前記付勢力により、ラッチ部５３をラッチ位置からアンラッチ位置まで移動させて、解錠を行い、そして、コイル４を再び通電させることにより、ラッチ部５３が駆動部５１に駆動されてラッチ位置に移動し、施錠状態に戻ることができる。
【００２３】
なお、錠ケース３の周面には、第１通路３１１と連通している第１通気穴３１４と、第２通路３２１と連通している第２通気穴３３１とが更に設けられている。本実施例において、錠ケース３は、ケース本体３１と、カバー付き開口３１５にあるカバー３３とからなっており、第１通気穴３１４は、２つあり、ケース本体３１の周面に設けられおり、第２通気穴３３は、カバー３３に開けてある。そのため、電気錠２は、施解錠状態の変換時、駆動部５１と連接部５２とラッチ部５３とが一斉に移動させられると同時に、空気が第１通気穴３１４及び第２通気穴３３１を通して錠ケース３の内外に流れ、施解錠状態の変換をよりスムーズに進行させることができる。
【産業上の利用可能性】
【００２４】
叙上のように、前記ボビンに巻回されているコイルから生じた磁場によって、従来のように、従動部を介してラッチ部を駆動するが必要なく、ラッチ部が、駆動部に直接に駆動されたと同時に移動させて施解錠を行うことができるので、連動部を介してラッチ部を駆動することによる誤作動の問題も起こらず、信号の発生とラッチ部の作動との間の遅延時間を削減することもでき、また、体積の大きな電磁弁の代わりに、体積がより小さいボビンを使用することで、小さな設置体積でも設置でき、設置場所に取付けることにもその場所から取り除いて修理することにも便利であり、とても有利である。
【符号の説明】
【００２５】
１１  錠ケース
１１１  ラッチ部
１１２  ばね
１１３  従動部
１２  電磁弁
１２１  プランジャ
１３  印刷配線板
１４  扉
１４１  開口
１５  扉枠
１５１  係止孔
２  電気錠
３  錠ケース
３０１、３０２  錠ケースの両端
３１  ケース本体
３１１  第１通路
３１２、３１５  開口
３１３  第２の環状フランジ
３１４  第１通気穴
３２  ボビン
３２１  第２通路
３２２  円管部
３２２０  円管部の外周面
３２２１  円管部の両端縁
３２３  フランジ部
３３  カバー
３３１  第２通気穴
３４  ボビン収納空間
４  コイル
５１  駆動部
５１１  駆動部の大部分
５１２  駆動部の端部分
５２  連結部
５２１、５２２  連結部の両端
５３  ラッチ部
５３０、５３１  ラッチ部の両端
５３２  第１の環状フランジ
５４  ばね
６  駆動回路装置
７  扉枠
７１  取り付け穴
７２  ねじ穴
８  固定板
【図１】
0003153242.tif 000003
【図２】
0003153242.tif 000004
【図３】
0003153242.tif 000005
【図４】
0003153242.tif 000006
【図５】
0003153242.tif 000007